(57)【特許請求の範囲】
【請求項１】
装着者の前側の腰部から鼠けい部を経て臀部から後側の腰部を覆う外装シートと、
前記外装シートの左右に設けられ且つ前後対称に形成される左右湾入部によって前後対称に形成される左右脚開口部と、
前記外装シートの腰部から前記左湾入部及び前記右湾入部の近傍まで、前記外装シートの幅方向に延設され、胴周りギャザーを形成する胴周り弾性部材と、
前記左右湾入部の縁に沿って配置され、前記左右脚開口部の夫々に前後対称のレッグギャザーを形成する脚周り弾性部材と、を少なくとも備えた使い捨て着用物品において、
前記外装シートの内面側に配置される吸収体と、
前記左湾入部の内側であって前記外装シートと前記吸収体との間に、前記外装シートの幅方向の中心線に平行に延設される複数の弾性部材からなる第１の股部弾性部材と、
前記右湾入部の内側であって前記外装シートと前記吸収体との間に、前記外装シートの幅方向の中心線に平行に延設される複数の弾性部材からなる第２の股部弾性部材と、を備え、
前記左湾入部の前記脚周り弾性部材と前記右湾入部の前記脚周り弾性部材は、前記第１及び前記第２の股部弾性部材の間において繋がって形成されず、
前記左右湾入部の前記脚周り弾性部材における前記外装シートの幅方向の中心線側の端部が、前記第１又は前記第２の股部弾性部材と隣接する位置又は重なる位置に形成され、
前記外装シートを展開した状態において、前記外装シートの幅方向の中心線と前記外装シートの縦方向の中心線との交点と、前記左右湾入部の端部を結ぶ直線と、前記外装シートの縦方向の中心線とのなす角度が３０度以下に形成されることを特徴とする使い捨て着用物品。
【請求項２】
前記第１及び前記第２の股部弾性部材は、前記胴周り弾性部材の延設方向と垂直方向に延設され、その端部が前記胴周り弾性部材の近傍あるいは交わる位置に配置され、
かつ、前記第１及び前記第２の股部弾性部材のそれぞれの幅が１０ｍｍ〜４０ｍｍに形成されていることを特徴とする請求項１に記載の使い捨て着用物品。
【請求項３】
前記第１及び前記第２の股部弾性部材は、前記胴周り弾性部材の延設方向と垂直方向に延設され、その端部が前記胴周り弾性部材の近傍あるいは交わる位置に配置され、
かつ、前記第１及び前記第２の股部弾性部材のそれぞれにおける最も内側に位置する弾性部材の弾性力が、最も外側に位置する弾性部材の弾性力よりも大きいことを特徴とする請求項１又は請求項２に記載の使い捨て着用物品。
【請求項４】
前記第１及び前記第２の股部弾性部材の端部が前記胴周り弾性部材と交わる位置に配置された場合には、前記第１及び前記第２の股部弾性部材の間には、前記胴周り弾性部材が存在しないか、あるいは前記胴周り弾性部材が分断され、前記外装シートの幅方向の弾性力がないようになされていることを特徴とする請求項２又は請求項３に記載の使い捨て着用物品。
【請求項５】
前記外装シートの左右縁の接合部の左右いずれか一方が、開閉可能に接合されていることを特徴とする請求項１乃至請求項４のいずれかに記載の使い捨て着用物品。
【発明の詳細な説明】
【技術分野】
【０００１】
本発明は使い捨て着用物品に関し、例えば、前後方向を逆にしても装着することができるおむつ及びおむつカバー等の使い捨て着用物品に関する。
【背景技術】
【０００２】
パンツタイプのおむつや尿とりパッド等を併用するおむつカバー等の使い捨て着用物品を装着する場合、通常のパンツと同様に、前後方向があり、その装着方向（前後方向）を間違えると、おむつあるいはおむつカバーとしての機能を発揮し得ず、装着感が悪く、排泄物等が漏れる等の原因になっていた。そのため、おむつやおむつカバー等の着用物品には、装着方向（前後方向）を示す表示が付されているものがある。
しかしながら、そのような表示は高齢者にとって視認し難いものであり、また介護する者にとって、おむつやおむつカバー等の着用物品の前後方向を確認しながらの作業には、煩わしさがあった。
【０００３】
このような問題を解決するものとして、特許文献１に示すおむつが提案されている。この特許文献１に示されたおむつを図７に示すと共に、図７に基づいて説明する。
図７に示すように、おむつ５０の脚周り部５１は、本体部５２の脚周り開口端部５２ａから脚周り開口部側に延出するように、本体部５２に貼り付けられた伸縮性の脚周りシート５３を備えている。
そして、本体部５２の脚周り開口端部５２ａの形状は、腹側の脚周りに適合する形状に形成されると共に、本体部５２の長さ方向の中心線Ｍを挟んで腹側部５０Ａと背側部５０Ｂとで略対称に形成されている。
【０００４】
一方、脚周りシート５３の自由端を形成する端部５３ａは、背側の脚周りに適合する形状、即ち装着者の臀部を覆う形状に形成されている。また、脚周りシート５３の自由端部５３ａによって、脚周り開口端部が形成されている。
ここで、脚周り開口端部を形成する前記自由端部５３ａは、本体部５２の長さ方向の中心線Ｍを挟んで、腹側部５０Ａと背側部５０Ｂとでそれぞれ装着者の臀部を覆うに充分な形状に形成され、前記中心線Ｍを挟んで、腹側部５０Ａと背側部５０Ｂとで略対称の形状に形成されている。
即ち、前記脚周り部５１は、腹側の脚周りに適合する形状である脚周り開口端部５２ａと、背側の脚周りに適合し臀部を覆う形状である脚周り開口端部５３ａとの異なる二つの形状を同時に備えるように構成されている。
【０００５】
これにより、装着時に装着者の腹側の脚周りを保持する脚周り開口部５２ａにおいては、伸縮性を有する脚周りシート５３が腹側の脚周りの形状に略沿って縮み込むことによりフィットする。一方、装着者の背側の脚周りを保持する脚周り開口部５３ａにおいては、伸縮性を有する脚周りシート５３が伸び広がることによって装着者の臀部を包み込みフィットする。
このように、おむつ５０を、前向き或いは後向きのどちらの向きであっても装着することができ、装着時におむつの前後の判断を行う必要がなくなり、装着者や介護者の手間を軽減することができる。
【先行技術文献】
【特許文献】
【０００６】
【特許文献１】特開２００５−２８７６９９号公報
【発明の概要】
【発明が解決しようとする課題】
【０００７】
ところで、前記した特許文献１に記載のおむつの本体部５２の脚周り開口端部５２ａの形状が、腹側の脚周りに適合する形状に形成され、背側の脚周りに適合する形状には形成されていない。そのため、本体部５２の脚周り開口端部５２ａが、背側において装着者の臀部を斜め縦方向に横切るように当たり、装着者に不快感を与えることがあった。
また、脚周りシート５３が伸び広がることによって装着者の臀部を包み込むようになされても、良好な装着感が得られず、また排泄物が漏れる虞があった。
更に、腹側においては、伸縮性を有する脚周りシート５３が腹側の脚周りの形状に略沿って縮み込むため、前記脚周りシート５３が装着者の鼠けい部に挟まれ、装着者の違和感を与えるという技術的課題があった。
【０００８】
本発明は、前記した課題を解決するためになされたものであり、前向き或いは後向きのどちらの向きからも装着することができ、装着時の不快感、違和感が少なく、かつ排泄物の漏れを防止する使い捨て着用物品を提供することを目的とするものである。
【課題を解決するための手段】
【０００９】
前記した課題を解決するためになされた本発明にかかる使い捨て着用物品は、装着者の前側の腰部から鼠けい部を経て臀部から後側の腰部を覆う外装シートと、前記外装シートの左右に設けられ且つ前後対称に形成される左右湾入部によって前後対称に形成される左右脚開口部と、前記外装シートの腰部から前記左湾入部及び前記右湾入部の近傍まで、前記外装シートの幅方向に延設され、胴周りギャザーを形成する胴周り弾性部材と、前記左右湾入部の縁に沿って配置され、前記左右脚開口部の夫々に前後対称のレッグギャザーを形成する脚周り弾性部材と、を少なくとも備え、更に、前記外装シートの内面側に配置される吸収体と、前記左湾入部の内側であって前記外装シートと前記吸収体との間に、前記外装シートの幅方向の中心線に平行に延設される複数の弾性部材からなる第１の股部弾性部材と、前記右湾入部の内側であって前記外装シートと前記吸収体との間に、前記外装シートの幅方向の中心線に平行に延設される複数の弾性部材からなる第２の股部弾性部材と、を備え、前記左湾入部の前記脚周り弾性部材と前記右湾入部の前記脚周り弾性部材は、前記第１及び前記第２の股部弾性部材の間において繋がって形成されず、前記左右湾入部の前記脚周り弾性部材における前記外装シートの幅方向の中心線側の端部が、前記第１又は前記第２の股部弾性部材と隣接する位置又は重なる位置に形成され、前記外装シートを展開した状態において、前記外装シートの幅方向の中心線と前記外装シートの縦方向の中心線との交点と、前記左右湾入部の端部を結ぶ直線と、前記外装シートの縦方向の中心線とのなす角度が３０度以下に形成されることを特徴としている。
【００１０】
一般的に、パンツタイプのおむつやおむつカバー等の使い捨て着用物品を、前向き或いは後向きのどちらの向きからも装着することができるように、着用物品の前部形状を臀部形状に対応した形状にすると、鼠けい部に隙間が生じ、漏れが生じ易い。
一方、着用物品の後部形状（背部形状）を鼠けい部に対応した形状にすると、臀部を包み込むことができず、臀部を斜め縦方向に横切るように着用物品の脚開口部の縁部が当たり、装着者に不快感、違和感を与える。
【００１１】
本発明にかかる使い捨て着用物品は、左湾入部及び右湾入部によって形成される左右脚開口部の夫々が、前後対称に形成されると共に、外装シートを展開した状態において、外装シートの幅方向の中心線と外装シートの縦方向の中心線との交点と、左右湾入部の端部を結ぶ直線と、前記外装シートの縦方向の中心線とのなす角度が３０度以下に形成されている。
【００１２】
このように、外装シートの幅方向の中心線と外装シートの縦方向の中心線との交点と左右湾入部の端部を結ぶ直線と、前記外装シートの長さ方向（縦方向）中心線とのなす角度が３０度以下になすことによって、胴周り弾性部材と脚周り弾性部材の弾性応力（弾性力）によって鼠けい部に対応する外装シートを左右方向に引張ることができ、鼠けい部の隙間を極力抑制できると共に、脚開口部の脚周り弾性部材の弾性力が着用物品を大腿部に圧着させるように作用する。このため、前後どちら向きにはいても、前後腰部全体を包み込むことができ、排泄物の漏れを抑制することができる。また、装着者の臀部を斜め縦方向に横切るように当たることもなく、臀部の不快感、違和感を解消することができる。
【００１３】
また、前記左湾入部の内側であって、外装シートの幅方向の中心線に平行に形成された第１の股部弾性部材と、前記右湾入部の内側であって、外装シート幅方向の中心線に平行に形成された第２の股部弾性部材と、を備え、前記左湾入部の脚周り弾性部材と前記右湾入部の脚周り弾性部材は、前記第１、第２の股部弾性部材の間において繋がって形成されず、かつ、前記左右湾入部の脚周り弾性部材における外装シートの幅方向の中心線側の端部が、前記第１、第２の股部弾性部材と隣接する位置または重なる位置に形成されることが望ましい。
【００１４】
このように構成すると、股部には左右湾入部の脚周り弾性部材による外装シートの幅方向の伸縮力が作用しないため、着用前まで第１、第２の股部弾性部材の平行が保たれ、着用後は装着者の前後股部の体型に合わせてフィットし、着用物品の位置ずれや漏れが抑制される。
【００１５】
また、前記第１、第２の股部弾性部材は、前記胴周り弾性部材の延設方向と垂直方向に延設され、その端部が胴周り弾性部材の近傍あるいは交わる位置に配置され、かつ、前記第１、第２の股部弾性部材は夫々複数の弾性部材からなると共に、前記第１、第２の股部弾性部材のそれぞれの幅が１０ｍｍ〜４０ｍｍに形成されていることが望ましい。
【００１６】
このように第１、第２の股部弾性部材が、前記胴周り弾性部材の延設方向と垂直方向に延設され、その端部が胴周り弾性部材の近傍あるいは交わる位置に配置されている。
そのため、着用物品を装着した際、第１、第２の股部弾性部材が胴周り弾性部材によって広げられ、前記外装シートの股部が幅方向に広げられ、着用後は装着者の前後股部の体型に合わせてフィットし、着用物品の位置ずれや漏れが抑制される。
また、前記第１、２の股部弾性部材の幅が１０ｍｍ未満の場合には、尿とりパットや吸収体の側部を身体に圧着させる幅が小さく、排泄物等が漏れるため、好ましくない。一方、その幅が４０ｍｍを超える場合には、身体に圧着させる幅が左右を合わせると、股間幅と同等以上になってしまい、股間の違和感が大きくなるため、好ましくない。
【００１７】
また、前記第１、第２の股部弾性部材は、前記胴周り弾性部材の延設方向と垂直方向に延設され、その端部が胴周り弾性部材の近傍あるいは交わる位置に配置され、かつ、前記第１、第２の股部弾性部材は夫々複数の弾性部材からなると共に、前記第１、第２の股部弾性部材における最も内側に位置する弾性部材の弾性力が、最も外側に位置する弾性部材の弾性力よりも大きいことが望ましい。
このように構成されているため、おむつを装着した際、前記外装シートを幅方向に広げると共に、前記外装シートの縁部が外側に折れるようになされる。更に、股部弾性部材が胴周り弾性部材と直交することで、仮に着用者の力が弱く、はき方が浅い場合でも、着用物品を引き上げる力が働き、外装シート、吸収体が装着者の身体に圧着され、排泄物の漏れ等を防止することができる。
また、前記第１、第２の股部弾性部材の端部が胴周り弾性部材と交わる位置に配置された場合には、前記第１、第２の股部弾性部材の間には、前記胴周り弾性部材が存在しないか、あるいは胴周り弾性部材が切断され、外装シートの幅方向の弾性力がないようになされていることが望ましい。
このように構成されているため、前記外装シートが幅方向に広げられ（第１、第２の股部弾性部材の間を広げやすく）、着用後は装着者の体型に合わせてフィットし、着用物品の位置ずれや漏れが抑制される。
【００１８】
また、前記外装シートの左右縁の接合部の左右いずれか一方が、開閉可能に接合されていることが望ましい。
このように、外装シートの左右縁の接合部の左右いずれか一方が、開閉可能に接合されるため、装着あるいは取外しを容易に行うことができる。
例えば、左右どちらかの手足に麻痺が有る場合でも、開閉可能な接合部から麻痺のある足を通すことができ、また片手でも容易に装着、取外しを行うことができる。しかも、前後の区別がないため、一つの製品で左側、右側のどちらを開閉するか使用者が選択できる。尚、従来から、手足が不自由な装着者のために左右両側が開閉可能な着用物品があるが、装着時は両手で保持することが必要になるため、片手での装着は困難であった。このため、装着時には、介助を必要とすることが多かった。
【発明の効果】
【００１９】
本発明によれば、前向き或いは後向きのどちらの向きからも装着することができ、装着時の不快感、違和感が少なく、かつ排泄物の漏れを防止する使い捨て着用物品を得ることができる。
【図面の簡単な説明】
【００２０】
【図１】図１は、本発明にかかる使い捨て着用物品（おむつ）の内側を上面になるように展開した状態を示す展開図である。
【図２】図２は、図１のＩ−Ｉ断面図である。
【図３】図３は、図１のおむつの要部拡大図である。
【図４】図４は、図１のおむつを組み立てた状態を示す正面図である。
【図５】図５は、本発明にかかるおむつの装着状態を説明するため図であって、股部の状態を示す断面図である。
【図６】図６は、本発明にかかるおむつの位置ずれを説明するための概略断面図であって、（ａ）は、正常な状態を示す図、（ｂ）は、位置ずれした状態を示す図である。
【図７】従来の使い捨て着用物品（おむつ）を示す展開図である。
【発明を実施するための形態】
【００２１】
本発明にかかる使い捨て着用物品について、以下の実施形態の説明においては、吸収体が内蔵されたトランクス型のおむつを例にとって説明する。
図１、２に示すように、本発明にかかるトランクス型のおむつ１は、一枚のシートあるいは複数のシートを重ねた外装シート２と、前記外装シート２の内側面に配置された吸収体３とを備えている。また、前記吸収体３の上面には表面シート１２、また前記吸収体３の上面両側には立体ギャザー１３が形成されている。また、外装シート２と吸収体３の間には、中間シート１４が形成されている。尚、図１では、前記立体ギャザー１３は省略して、図示している。
【００２２】
ここで、前記外装シート２としては、遮水性、通気性のあるシート材で、具体的には、ポリエチレン、ポリプロピレン、ポリエステル、ナイロン、レーヨン等の化学繊維や、綿、セルロース等の天然繊維などから成る不織布、フィルム他、ポリエチレンとポリプロピレンの混合不織布のような上記素材を適宜組み合わせた混合繊維等を用いても良い。
また、吸収体３としては、例えば、解繊パルプや不織布、フィルムなどと、吸水性ポリマーとを併用したものや、熱可塑性樹脂とセルロース繊維と吸水性ポリマーとの混合物等で形成されている。また、これを吸収紙や不織布などで覆ったものや上記の構成が複数重なって構成されていても良い。
更に、表面シート１２は、液透過性のシート、例えば天然繊維からなる織布、合成繊維からなる不織布、または熱可塑性樹脂からなる開口フィルム等、吸収性物品の表面材として従来から使用されているものが用いられる。また、上記複数のシートから構成されていても良い。
また、立体ギャザー１３、中間シート１４は、使い捨ておむつに通常使用される遮水性または撥水性の不織布又はフィルム等のシートが用いられる。
【００２３】
また、図１に示すように、前記トランクス型のおむつ１の外装シート２の上端部には腰周り弾性部材４ａが設けられ、前記外装シート２の下端部には腰周り弾性部材４ｂが設けられている。更に、前記腰周り弾性部材４ａ下方には胴周り弾性部材５ａが設けられ、前記腰周り弾性部材４ｂの上方には、胴周り弾性部材５ｂが設けられている。
これらは腰周り弾性部材４ａ、４ｂ及び胴周り弾性部材５ａ、５ｂは、図４に示すように組み立てられた状態にあっては、一つの腰周り弾性部材として、また一つの胴周り弾性部材として機能する。また、前記腰周り弾性部材４ａ、４ｂ及び胴周り弾性部材５ａ、５ｂは、例えば、糸ゴム、平ゴム、ウレタンフィルム等の弾性部材から形成されている。
【００２４】
また、前記外装シート２の左右端には、左湾入部６及び右湾入部７が形成されている。この左湾入部６及び右湾入部７は、図４に示すように組み立てられた状態にあっては、左右脚開口部Ａ、Ｂを形成するものである。
前記胴周り弾性部材５ａ、５ｂは、図１に示すように、前記左湾入部７及び右湾入部８の近傍まで形成されている。そのため、前記胴周り弾性部材５ａ、５ｂは、腹側においては、腰部から鼠けい部にわたって配置され、また背側においては、腰部から臀部にわたって配置されることになる。
【００２５】
また、前記左湾入部６及び右湾入部７は、図１に示すように外装シート２（おむつ）を展開した状態において、外装シート２の幅方向の中心線Ｍ１を境にして、左右対称に形成されている。また、前記左湾入部６及び右湾入部７は、外装シート２（おむつ）を展開した状態において、外装シート２の縦方向の中心線Ｍ２（中心線Ｍ１に直交する中心線）を境にして、上下対称（前後対称）に形成されている。
即ち、前記左湾入部６における左湾入部の上部６ａと左湾入部の下部６ｂは、対称に形成され、また前記右湾入部７における右湾入部の上部７ａと右湾入部の下部７ｂは、対称に形成されている。
更に、前記左湾入部６における左湾入部の上部６ａと前記右湾入部７における左湾入部の上部７ａとは左右対称に形成され、前記左湾入部６における左湾入部の下部６ｂと前記右湾入部７における左湾入部の下部７ｂとは左右対称に形成されている。
【００２６】
したがって、前記左湾入部６及び右湾入部７によって形成される左右脚開口部Ａ、Ｂは左右対称になるように形成され、また左右脚開口部Ａ、Ｂの各開口部の前後についても対称になるように形成されている。
【００２７】
また、前記左湾入部６の縁に沿って脚周り弾性部材８ａ、８ｂが形成され、同様に右湾入部７の縁に沿って、脚周り弾性部材９ａ、９ｂが形成されている。この脚周り弾性部材８ａ、８ｂ、弾性部材９ａ、９ｂは、夫々３本の弾性部材から構成されている。
【００２８】
また、前記脚周り弾性部材８ａ、８ｂは、前記中心線Ｍ２に対して上下対称に配置されている。また、前記脚周り弾性部材９ａ、９ｂは、前記中心線Ｍ２に対して上下対称に配置されている。更に、前記脚周り弾性部材８ａ、９ａは、前記中心線Ｍ１に対して左右対称に配置されている。また、前記脚周り弾性部材８ｂ、９ｂは、前記中心線Ｍ１に対して左右対称に配置されている。
【００２９】
このように、前記左湾入部６に脚周り弾性部材８ａ、８ｂが形成され、右湾入部７に脚周り弾性部材９ａ、９ｂが形成されているため、外装シート２（おむつ）を展開した状態において、前記左湾入部６と右湾入部７に左右対称のレッグギャザーが形成される。また、前記左湾入部６、７のそれぞれ形成されたレッグギャザーは、前後対称に形成される。
そして、前記左右脚開口部Ａ、Ｂは前記レッグギャザーによって囲まれ、前記レッグギャザー（脚周り弾性部材８ａ、８ｂ、９ａ、９ｂ）によって、左右脚開口部Ａ、Ｂが装着者に密着（圧着）し、排泄物等が漏れないようになされている。
【００３０】
尚、脚周り弾性部材８ａ、８ｂ、９ａ、９ｂとして、夫々３本の弾性部材から構成されている場合について説明したが、特に、これに限定されるものではなく、脚周り弾性部材８ａ、８ｂ、９ａ、９ｂの弾性部材は複数本以上であれば良い。
【００３１】
また、左湾入部６の弾性部材８ａと、右湾入部７の弾性部材９ａあるいは弾性部材９ｂとは繋がって形成されていない。また左湾入部６の弾性部材８ｂと、右湾入部７の弾性部材９ａあるいは弾性部材９ｂとは繋がって形成されていない。
このように、前記左湾入部６の弾性部材８ａ、８ｂと右湾入部７の弾性部材９ａ、９ｂとを繋げて形成されていないのは、繋げて形成した場合、弾性部材８ａ、８ｂ、９ａ、９ｂによって、外装シート２（おむつ）の股部に幅方向の伸縮力が生じ、股部中央にしわが生じ、座った時などに装着者に不快感、違和感を与えるからである。
【００３２】
更に、前記左湾入部６における左湾入部の上部６ａ、下部６ｂ、また前記右湾入部７における左湾入部の上部７ａ、下部７ｂの形状について、図３に基づいて説明する。尚、左湾入部の上部６ａ、下部６ｂ、右湾入部７の上部７ａ、下部７ｂの形状は同一の形状であるため、右湾入部７の上部７ａを例にとって説明する。
【００３３】
図３に示すように、外装シート２（おむつ）を展開した状態において、外装シート２の幅方向の中心線Ｍ１と外装シート２の縦方向の中心線Ｍ２との交点をＯとし、この交点Ｏと外装シート２の幅方向の右湾入部７の端部（外縁部）Ｔ１を結ぶ直線ＯＴ１と、前記中心線Ｍ２とのなす角度θ１が３０度以下に形成されている。
【００３４】
おむつを前向き或いは後向きのどちらの向きからも装着することができるように、おむつの前後の形状を臀部形状に対応した形状にすると、おむつの前部の鼠けい部に隙間が生じ、漏れが生じ易い。一方、おむつの前後の形状を鼠けい部に対応した形状にすると、臀部に不快感、違和感が生じる。
即ち、前記直線ＯＴ１と、前記外装シート２の長さ方向（縦方向）中心線Ｍ２とのなす角度が３０度以下になすことによって、この胴周り弾性部材５ａ、５ｂと脚周り弾性部材９ａ、９ｂの弾性応力（弾性力）によって鼠けい部に対応する外装シート２を左右方向に引張ることができ、鼠けい部の隙間を極力抑制でき、脚開口部の脚周り弾性部材の弾性力が着用物品を大腿部に圧着させるように作用するため、排泄物の漏れを抑制できる。
また、前記直線ＯＴ１と、前記外装シート２の長さ方向（縦方向）中心線Ｍ２とのなす角度が小さいため、臀部の不快感、違和感を解消することができる。
【００３５】
更に、前記左湾入部６の内側、及び右湾入部７の内側には、図１に示すように、外装シート２の縦方向に平行に延設された、股部弾性部材１０、１１を備えている。この股部弾性部材１０、１１は外装シート２の中心線Ｍ１に対して左右対称に形成され、また中心線Ｍ２に対して前後対称に形成されている。
この股部弾性部材１０、１１は、股下部の主に鼠けい部において、外装シート及び吸収体をフィットさせて、違和感や漏れを防止するものである。
【００３６】
また、前記股部弾性部材１０，１１が、前記胴周り弾性部材５ａ，５ｂの延設方向（中心線Ｍ２と平行な方向）と垂直方向（中心線Ｍ１と平行な方向）に延設され、その端部が胴周り弾性部材５ａ，５ｂの近傍あるいは交わる位置に配置されている。
図１，３では、前記股部弾性部材１０，１１の端部は、胴周り弾性部材５ａの下部５ａ１と交り、胴周り弾性部材５ｂの上部５ｂ１と交わる位置に配置されている。
しかしながら、前記股部弾性部材１０，１１の端部が、胴周り弾性部材５ａ，５ｂと交わるように配置される必要はなく、少なくとも、前記股部弾性部材１０，１１の端部が、胴周り弾性部材５ａの下部５ａ１、胴周り弾性部材５ｂの上部５ｂ１の近傍に配置されるように構成されていれば良い。
【００３７】
このように、前記股部弾性部材１０，１１が、前記胴周り弾性部材の延設方向（中心線Ｍ２と平行な方向）と垂直方向（中心線Ｍ１と平行な方向）に延設され、その端部が胴周り弾性部材の近傍あるいは交わる位置に配置されている場合には、着用物品を装着した際、第１、第２の股部弾性部材１０，１１の間が胴周り弾性部材５ａ，５ｂによって広げられ、また前記外装シート２の股部が幅方向に広げられ、着用後は装着者の前後股部の体型に合わせてフィットし、着用物品の位置ずれや漏れが抑制される。
【００３８】
また、前記第１、第２の股部弾性部材１０，１１の端部が胴周り弾性部材と交わる位置に配置された場合には、前記第１、第２の股部弾性部材１０，１１の間（領域Ｒ１）には、前記胴周り弾性部材５ａ，５ｂが存在せず、外装シート２の幅方向の弾性力がないようになされている。
尚、胴周り弾性部材５ａ，５ｂを切断するようになしても良い。また、図１，３に示すように、第１、第２の股部弾性部材１０，１１の間（領域Ｒ１）のみならず、胴周り弾性部材５ａの上方の領域Ｒ２（吸収体３の上端部間での領域）、胴周り弾性部材５ｂの下方の領域Ｒ３（吸収体３の下端部間での領域）においても、前記胴周り弾性部材５ａ，５ｂが存在しないか、あるいは胴周り弾性部材５ａ，５ｂが切断され、外装シート２の幅方向の弾性力がないようになされていることが望ましい。
【００３９】
このように、前記第１、第２の股部弾性部材１０，１１の端部が胴周り弾性部材と交わる位置に配置された場合には、前記第１、第２の股部弾性部材１０，１１の間（領域Ｒ１）には、前記胴周り弾性部材５ａ，５ｂが存在しないため、外装シート２の幅方向の弾性力がなく、前記外装シートが幅方向に広げられやすく、着用後は装着者の体型に合わせてフィットし、着用物品の位置ずれや漏れが抑制される。
【００４０】
この股部弾性部材１０は３本の弾性部材１０ａ，１０ｂ，１０ｃからなり、その幅（弾性部材１０ａ，１０ｃとの間の間隔）が１０ｍｍ以上に形成されている。また、この股部弾性部材１１も、股部弾性部材１０と同様に、３本の弾性部材１１ａ，１１ｂ，１１ｃからなり、その幅（弾性部材１１ａ，１１ｃとの間の間隔）が１０ｍｍ以上に形成されている。
【００４１】
好ましくは、その幅が１０ｍｍ以上〜４０ｍｍ以下に形成されているのが望ましい。前記股部弾性部材１０，１１の幅が１０ｍｍ未満の場合には、尿とりパットや吸収体の側部を身体に圧着させる幅が小さく、排泄物等が漏れるため、好ましくない。一方、その幅が４０ｍｍを超える場合には、身体に圧着させる幅が左右を合わせると、股間幅と同等以上になってしまい、股間の違和感が大きくなるため、好ましくない。
【００４２】
また、股部弾性部材１０、１１の間の寸法、即ち、股部弾性部材１０の弾性部材１０ａと、股部弾性部材１１の弾性部材１１ａとの間の距離Ｌが、７０ｍｍ〜１４０ｍｍに形成されている。
身体の股部の寸法から７０ｍｍ以上が好ましく、一方、１４０ｍｍを超えると外装シート２が股部にだぶつくため好ましくない。
【００４３】
また、前記股部弾性部材１０、１１の間において、図１、図３に示すように、前記左湾入部の脚周り弾性部材８ａ、８ｂと前記右湾入部の脚周り弾性部材９ａ、９ｂは繋がって形成されず、かつ、前記左右湾入部の脚周り弾性部材８ａ、８ｂ、９ａ、９ｂにおける外装シート２の幅方向の中心線側の端部８ａ１、８ｂ１、９ａ１、９ｂ１が、前記第１、第２の股部弾性部材１０、１１と重なる位置に形成されている。
尚、前記端部８ａ１、８ｂ１、９ａ１、９ｂ１が、前記第１、第２の股部弾性部材１０、１１に隣接する位置に形成されていても良い。
【００４４】
このように構成すると、股部には左右湾入部の脚周り弾性部材１０，１１による外装シート２の幅方向の伸縮力が作用せず、また着用前まで第１、第２の股部弾性部材１０，１１の平行が保たれる。そして、着用後は装着者の前後股部の体型に合わせてフィットし、着用物品の位置ずれや漏れが抑制される。
【００４５】
尚、前記股部弾性部材１０（１０ａ，１０ｂ，１０ｃ）、前記股部弾性部材１１（１１ａ，１１ｂ，１１ｃ）、例えば、糸ゴム、平ゴム、ウレタンフィルム等の弾性部材から形成されている。
また、この実施形態にあっては、股部弾性部材１０は３本の弾性部材１０ａ，１０ｂ，１０ｃからなり、また股部弾性部材１１も、股部弾性部材１０と同様に、３本の弾性部材１１ａ，１１ｂ，１１ｃからなる場合を示したが、特に、これに限定されるものではなく、股部弾性部材１０、１１の弾性部材は複数本以上であれば良い。
【００４６】
このように、前記左湾入部６の内側、及び右湾入部７の内側には、おむつの縦方向（中心線Ｍ１）に平行に、股部弾性部材１０、１１が設けられ、前後方向に伸縮力（弾性力）が付与されている。
ここで、前記したように左湾入部６の弾性部材８ａ、８ｂと右湾入部７の弾性部材９ａ、９ｂとを繋げて形成されている場合には、外装シート２の幅方向の伸縮力（弾性力）により、股部弾性部材１０、１１が平行でなくなり、股部弾性部材１０、１１の間隔が狭い部分Ｎが生じる（外装シート２にしわが生じ狭い部分が生じる）。
この股部弾性部材１０、１１の間隔が狭い部分Ｎは、装着者が動くたびに徐々に装着位置が前側にずれ、最終的に図６（ｂ）に示すように、股部弾性部材１０、１１の間隔が狭い部分Ｎが鼠けい部Ｓに当たるように、おむつの装着位置がずれる。
【００４７】
これに対して、前記したように左湾入部６の弾性部材８ａ、８ｂと右湾入部７の弾性部材９ａ、９ｂとを繋げて形成されていない場合には、外装シート２の幅方向の伸縮力（弾性力）が生じないため、股部弾性部材１０、１１は、着用者の前後股部の曲線に合わせて、フィットし、前後どちらの向きにはいても、図６（ａ）に示すような、おむつの正常な装着状態を維持することができる。
尚、図６は、装着者の側面図であり、図中のＦは装着者の大腿部、Ｄは装着者の臀部である。
【００４８】
更に、前記股部弾性部材１０，１１について説明すると、股部弾性部材１０の３本の弾性部材１０ａ，１０ｂ，１０ｃは、内側に位置する弾性部材１０ａの弾性（弾性力）が強く、外側に位置する弾性部材１０ｃの弾性（弾性力）は弱く、弾性部材１０ｂの弾性（弾性力）はその中間に位置する。
また、前記弾性部材１０ａ，１０ｂ，１０ｃは、前記胴周り弾性部材５ａの下端部５ａ１、胴周り弾性部材５ｂの上端部５ｂ１において直交する位置になるように配置されている。
【００４９】
同様に、前記股部弾性部材１１の３本の弾性部材１１ａ，１１ｂ，１１ｃは、内側に位置する弾性部材１１ａの弾性（弾性力）が強く、外側に位置する弾性部材１１ｃの弾性（弾性力）は弱く、弾性部材１１ｂの弾性（弾性力）はその中間に位置する。
また、前記弾性部材１１ａ，１１ｂ，１１ｃは、前記胴周り弾性部材５ａの下端部５ａ１、胴周り弾性部材５ｂの上端部５ｂ１において直交する位置になるように配置されている。
【００５０】
前記したように、内側に位置する弾性部材１０ａ，１１ａの弾性が強く、外側に位置する弾性部材１０ｃ，１１ｃの弾性が弱く形成され、弾性部材１０，１１が胴周り弾性部材５ａ，５ｂと直交する位置になるように配置されているため、おむつを装着した際、図５に示すように、前記外装シート２（吸収体３）を幅方向に広げると共に、前記外装シート２（吸収体３）の縁部が外側に折れるようになされる。
更に、股部弾性部材１０，１１が胴周り弾性部材５ａ，５ｂと直交することで、仮に着用者の力が弱く、はき方が浅い場合でも、着用物品を引き上げる力が働き、外装シート２、吸収体３が装着者の身体に圧着され、排泄物の漏れを防止することができる。
【００５１】
前記したトランクス型おむつ１は、第１図に示されるような外装シート２を展開した状態から、外装シート２を二つ折りにして、前身頃、後身頃及び股間部を形成し、第４図に示されるように、左右縁Ｅを互いに合掌状に接合して、おむつ１の左右に接合部を形成することによって組み立てられる。
このとき、図１に示すように、前記外装シートの左右縁の接合部の左右いずれか一方（図１では右縁）が、開閉可能に接合されていることが望ましい。例えば、外装シートの右縁に面ファスナー１５，１６を設け、着脱自在になし、開閉可能に形成しても良い。
尚、トランクス型おむつ１は、前後を逆に装着することができるおむつであり、前身頃は後身頃であり、後身頃は前身頃となるものである。 上記トランクス型おむつ１は、前記したように、左右脚開口部Ａ、Ｂのほか、上部に腰開口部Ｃを備えている。このおむつ１を正面から捉えた図が第４図である。
【００５２】
尚、上記実施形態にあっては、使い捨て着用物品としておむつを例にとって説明したが、本発明はおむつに限定されることなく、例えば、おむつカバー、パンツ等にも適用することができる。
また、上記実施形態にあっては、おむつの身体へのフィット性を高め、尿等の漏れを防止するために、腰周り、胴周り及び脚周りにそれぞれ弾性部材を配置し、腰周りギャザー（弾性部材４ａ，４ｂ）、胴周りギャザー（弾性部材５ａ，５ｂ）と、左右レッグギャザー（弾性部材８ａ、８ｂ、９ａ、９ｂ）を形成した場合を説明したが、前記弾性部材は必要に応じて、他の部位にも配置しても良い。
【００５３】
また、弾性部材としては、複数本の天然ゴム糸、合成ゴム糸や、伸縮性の不織布や伸縮性のフィルム等を用いることができる。また、上記実施形態では、弾性部材が３本の場合について説明したが、身体への装着感や防漏性を考慮して本数を増減しても良い。
【符号の説明】
【００５４】
１            （トランクス型）おむつ
２              外装シート
３              吸収体
４ａ、４ｂ      腰周り弾性部材
５ａ、５ｂ      胴周り弾性部材
５ａ１          胴周り弾性部材下端部
５ｂ１          胴周り弾性部材上端部
６              左湾入部
７              右湾入部
８ａ、８ｂ      左湾入部の脚周り弾性部材
８ａ１、８ｂ１  左湾入部の脚周り弾性部材の端部
９ａ、９ｂ      右湾入部の脚周り弾性部材
９ａ１、９ｂ１  右湾入部の脚周り弾性部材の端部
１０（１０ａ，１０ｂ，１０ｃ）    股部弾性部材
１１（１１ａ，１１ｂ，１１ｃ）    股部弾性部材
Ａ              左脚開口部
Ｂ              右脚開口部
Ｄ              臀部
Ｌ              弾性部材１０ａと弾性部材１１ａとの間の距離
Ｍ１            外装シート幅方向の中心線
Ｍ２            外装シート縦方向の中心線
Ｒ１            第１、第２の股部弾性部材の間の領域
Ｒ２            胴周り弾性部材の上方であって、吸収体の上端部までの領域
Ｒ３            胴周り弾性部材の下方であって、吸収体の下端部までの領域
Ｓ              鼠けい部
【図１】
0005917961.tif 000002
【図２】
0005917961.tif 000003
【図３】
0005917961.tif 000004
【図４】
0005917961.tif 000005
【図５】
0005917961.tif 000006
【図６】
0005917961.tif 000007
【図７】
0005917961.tif 000008